(57)【要約】【課題】回転体の停止時に発生する振動を効率的に抑制し、従来よりも回転体の振動を低減することができる上に、点検や部品の交換が容易な遊技台を提供する。【解決手段】モータ６０４により駆動される回転体（リール）１１０〜１１２を有して構成される可変表示装置６００を備えた遊技台であって、回転体１１０〜１１２の振動を抑制する振動抑制手段６０３と、振動抑制手段６０３が振動を抑制可能な範囲内に回転体１１０〜１１２の振動の振幅を制限する振動範囲制限手段６０９と、を備えていることを特徴とする遊技台。【選択図】図４
2007325637.tif 000002
【特許請求の範囲】
【請求項１】
モータにより駆動される回転体を有して構成される可変表示装置を備えた遊技台であって、
前記回転体の振動を抑制する振動抑制手段と、
前記振動抑制手段が振動を抑制可能な範囲内に前記回転体の振動の振幅を制限する振動範囲制限手段と、を備えていることを特徴とする遊技台。
【請求項２】
請求項１において、
前記振動抑制手段は、
前記モータのモータ軸に固定され、前記モータ軸と共に回転する第１ブラケットと、
前記第１ブラケットと同軸的に配設され、前記回転体と連結される第２ブラケットと、
前記第１ブラケットと前記第２ブラケットを連結するように配設された衝撃吸収部と、を有して構成されることを特徴とする遊技台。
【請求項３】
請求項１または２において
前記振動抑制手段は、
前記回転体の振動の速度を抑制するブレーキ部を、さらに備えていることを特徴とする遊技台。
【請求項４】
請求項３において、
前記ブレーキ部は、
前記回転体または前記回転体と共に回転する回転部材の少なくとも一部と接触するように配設された摩擦部と、
前記摩擦部または前記回転体もしくは前記回転部材の少なくとも一方を他方の側に、押圧して圧着させる付勢部と、を有して構成されることを特徴とする遊技台。
【請求項５】
請求項２乃至４のいずれかにおいて、
前記第１ブラケットは、
前記モータ軸に固定される第１ボス部と、前記第１ボス部の径方向外側に延設された第１鍔部と、を有し、
前記第２ブラケットは、
前記第１ブラケットの前記第１ボス部と同軸的に配設される第２ボス部と、前記第２ボス部の径方向外側に延設された第２鍔部と、を有し、
前記衝撃吸収部は、
前記第１ブラケットの前記第１鍔部と前記第２ブラケットの前記第２鍔部とを連結するように配設されていることを特徴とする遊技台。
【請求項６】
請求項５において、
前記衝撃吸収部は、
前記第１ブラケットの前記第１鍔部または前記第２ブラケットの前記第２鍔部のいずれか一方に配設されたベース部と、
前記ベース部との間に閉塞された中空部を形成する外殻部と、
前記外殻部と前記第１ブラケットの前記第１鍔部または前記第２ブラケットの前記第２鍔部のいずれかの他方とを連結する連結部と、を有して構成され、
前記外殻部は、弾性部材からなり、
前記中空部には、粘性を有する物質が充填されていることを特徴とする遊技台。
【請求項７】
請求項２乃至６のいずれかにおいて、
前記振動範囲制限手段は、
開口部を有する筒状体と、
前記開口部の内径よりも小径の棒状体と、から構成され、
前記筒状体は、前記第１ブラケットまたは前記第２ブラケットのいずれか一方に配設され、
前記棒状体は、前記第１ブラケットまたは前記第２ブラケットのいずれかの他方に、前記筒状体に向けて突設されていると共に、前記開口部内に、移動自在に挿入されていることを特徴とする遊技台。
【請求項８】
請求項７において、
前記振動範囲制限手段における前記筒状体の前記開口部の内径は、前記衝撃吸収部の最大可動範囲よりも小さいことを特徴とする遊技台。
【請求項９】
請求項２乃至６のいずれかにおいて、
前記振動範囲制限手段は、
前記第１ブラケットまたは前記第２ブラケットのいずれか一方に配設される硬球と、
前記第１ブラケットまたは前記第２ブラケットのいずれかの他方に形成され、前記硬球の少なくとも一部を収容可能な形状を有する凹部と、
前記硬球を前記凹部に押圧する硬球付勢手段と、を有して構成されることを特徴とする遊技台。
【請求項１０】
請求項９において、
前記振動範囲制限手段は、前記回転体の振動の振幅を、前記衝撃吸収部の最大可動範囲以下に制限する押圧力を有することを特徴とする遊技台。
【請求項１１】
請求項２乃至１０のいずれかにおいて、
前記第２ブラケットは、前記回転体と一体成形されていることを特徴とする遊技台。
【請求項１２】
請求項４乃至１１のいずれかにおいて、
前記摩擦部は、前記第１ブラケットと兼用されていることを特徴とする遊技台。
【請求項１３】
請求項２乃至１２のいずれかにおいて、
前記第１ブラケットに配設される検知片と、
前記検知片の通過により前記回転体の回転方向の位置を検出する検出部と、をさらに備えることを特徴とする遊技台。
【発明の詳細な説明】
【技術分野】
【０００１】
本発明はスロットマシン（パチスロ）やパチンコ機に代表される遊技台に関し、特に回転体を回転させることで可変表示を行う可変表示装置を備えた遊技台に関する。
【背景技術】
【０００２】
従来、スロットマシンやパチンコ機などの遊技台では、遊技を開始すると、複数種類の図柄が表示窓を介して可変表示される。そして、表示が停止された時の図柄組合せに応じて、メダル等の遊技媒体の払い出しが行われる。
【０００３】
このような図柄の可変表示を行わせる装置としては、代表的なものとして、周囲に複数種類の図柄を施した回転体を回転させ、表示窓を介して図柄の可変表示を行う可変表示装置が挙げられる。そして、このような可変表示装置では、回転体をステッピングモータで回転制御することによって、任意の停止位置で図柄を停止させるのが一般的である。
【０００４】
ところで、従来のこのような可変表示装置を用いた遊技台においては、回転体を急激に停止させる必要があることから、停止時に回転体が振動してしまうといった問題点があった。そこで、このような問題を解決すべく、回転体とモータ軸との間に弾性部材を介して停止時の振動を吸収させるようにしたリール（回転体）駆動装置が提案されている（例えば、特許文献１参照）。
【特許文献１】特開平１−１２９８６５号公報
【発明の開示】
【発明が解決しようとする課題】
【０００５】
しかしながら、上記特許文献１に記載の遊技台は、弾性部材の変形によって停止時の回転体の振動を緩和することができるものの、弾性部材の変形が元に戻る際の復元エネルギーにより回転体が振動してしまうといった問題があった。この回転体の振動が弾性部材によって完全に吸収されるまではある程度の時間を要するため、遊技者にとっては回転体停止時における回転体の挙動が煩わしく感じられる場合があり、遊技者の遊技意欲を減退させる一因ともなっていた。
【０００６】
また、回転体の振動を吸収させるための構造は、点検や交換の容易性を考えると、あまり複雑な構造のものは望ましくないといった事情もある。
【０００７】
本発明は、このような問題点を解決するためになされたものであって、回転体の停止時や起動時に発生する振動を効率的に抑制し、従来よりも回転体の振動を低減することができる上に、点検や部品の交換が容易な遊技台を提供することを目的とする。
【課題を解決するための手段】
【０００８】
本発明に係る遊技台は、モータにより駆動される回転体を有して構成される可変表示装置を備えた遊技台であって、前記回転体の振動を抑制する振動抑制手段と、前記振動抑制手段が振動を抑制可能な範囲内に前記回転体の振動の振幅を制限する振動範囲制限手段と、を備えることによって、上記課題を解決したものである。
【０００９】
本発明によれば、前記振動抑制手段と前記振動範囲制限手段の二つを備えることで、前記回転体の振動の振幅を、前記振動抑制手段が振動を抑制可能な範囲内に制限した上で、前記回転体の振動を抑制することができるため、従来よりも効率的に振動を抑制することが可能となる。このため、前記回転体が停止時に発生する振動を従来よりも低減することができる。
【００１０】
同様に、前記回転体が起動時に発生する振動も、従来よりも低減することができる。
【００１１】
また、前記振動抑制手段を、前記モータのモータ軸に固定され、前記モータ軸と共に回転する第１ブラケットと、前記第１ブラケットと同軸的に配設され、前記回転体と連結される第２ブラケットと、前記第１ブラケットと前記第２ブラケットを連結するように配設された衝撃吸収部と、を有して構成すれば、前記振動抑制手段をユニット化することが可能となり、点検、交換を容易に行うことができる。
【００１２】
さらに、前記振動抑制手段が、前記回転体の振動の速度を抑制するブレーキ部を、備えれば、前記回転体の振動をさらに減速することが可能となり、特に、前記回転体の停止時に発生する振動を効率的に抑制することができる。
【００１３】
また、前記ブレーキ部を、前記回転体または前記回転体と共に回転する回転部材の少なくとも一部と接触するように配設された摩擦部と、前記摩擦部または前記回転体もしくは前記回転部材の少なくとも一方を他方の側に、押圧して圧着させる付勢部と、を有して構成すれば、前記摩擦部と前記回転体または前記回転部材との間に作用する摩擦力によって前記回転体の振動を円滑に減速し、効率的に前記回転体の振動を抑制することができる上に、前記付勢部による押圧力を調整することによって、摩擦力の大きさ（ブレーキの効き具合）を調整することができる。
【００１４】
また、前記第１ブラケットは、前記モータ軸に固定される第１ボス部と、前記第１ボス部の径方向外側に延設された第１鍔部と、を有し、前記第２ブラケットは、前記第１ブラケットの前記第１ボス部と同軸的に配設される第２ボス部と、前記第２ボス部の径方向外側に延設された第２鍔部と、を有し、前記衝撃吸収部は、前記第１ブラケットの前記第１鍔部と前記第２ブラケットの前記第２鍔部とを連結するように配設すれば、前記衝撃吸収部の配設におけるスペース上の制約が解消されると共に、前記衝撃吸収部の可動範囲を大きくとることができるため、衝撃吸収力を高めることが可能となり、振動を効率的に抑制することができる。
【００１５】
さらに、前記衝撃吸収部は、前記第１ブラケットの前記第１鍔部または前記第２ブラケットの前記第２鍔部のいずれか一方に配設されたベース部と、前記ベース部との間に閉塞された中空部を形成する外殻部と、前記外殻部と前記第１ブラケットの前記第１鍔部または前記第２ブラケットの前記第２鍔部のいずれかの他方とを連結する連結部と、を有して構成され、前記外殻部は、弾性部材からなり、前記中空部には、粘性を有する物質が充填されていれば、前記粘性を有する物質によって前記回転体の停止時の衝撃を吸収することができる上に、前記弾性部材からなる前記外殻部の復元力によって、振動抑制後の前記回転体を正確に停止位置へと導くことができる。
【００１６】
また、前記振動範囲制限手段は、開口部を有する筒状体と、前記開口部の内径よりも小径の棒状体と、から構成され、前記筒状体は、前記第１ブラケットまたは前記第２ブラケットのいずれか一方に配設され、前記棒状体は、前記第１ブラケットまたは前記第２ブラケットのいずれかの他方に、前記筒状体に向けて突設されていると共に、前記開口部内に、移動自在に挿入されていれば、前記棒状体の移動が前記筒状体の前記開口部内に限定されることとなり、これにより前記回転体の振動の振幅を前記振動抑制手段が振動を抑制可能な範囲内に制限することが可能となり、前記回転体の振動を効率的に抑制することができる上に、前記振動抑制手段と前記振動範囲制限手段を一つにユニット化することが可能となり、点検、交換を容易に行うことができる。
【００１７】
さらに、前記筒状体の前記開口部の内径を変更することによって、前記回転体の振動の範囲を調整することが可能であるため、前記筒状体の前記開口部の内径を、前記衝撃吸収部の最大可動範囲よりも小さくすれば、前記回転体の振動を、より小さい振幅の振動とすることができる。
【００１８】
また、前記振動範囲制限手段は、前記第１ブラケットまたは前記第２ブラケットのいずれか一方に配設される硬球と、前記第１ブラケットまたは前記第２ブラケットのいずれかの他方に形成され、前記硬球の少なくとも一部を収容可能な形状を有する凹部と、前記硬球を前記凹部に押圧する硬球付勢手段と、を有して構成することもできる。これによれば、前記硬球付勢手段の押圧力により前記回転体の振動の振幅を前記振動抑制手段が振動を抑制可能な範囲内に制限することが可能となり、前記回転体の振動を効率的に抑制することができる上に、前記振動抑制手段と前記振動範囲制限手段を一つにユニット化することが可能となり、点検、交換を容易に行うことができる。
【００１９】
また、前記硬球が前記凹部に係止されることにより、前記回転体の停止位置を正確に位置決めすることができる。
【００２０】
さらに、前記硬球付勢手段の押圧力を変更することによって、前記回転体の振動の範囲を調整することが可能であるため、前記回転体の振動の振幅を、前記衝撃吸収部の最大可動範囲以下に制限すれば、前記回転体の振動を、より小さい振幅の振動とすることができる。
【００２１】
また、前記第２ブラケットが、前記回転体と一体成形されていれば、部品点数の削減や低コスト化、または装置の小型化が可能となる。
また、前記摩擦部が、前記第１ブラケットと兼用されていれば、部品点数の削減や低コスト化、または装置の小型化が可能となる。
【００２２】
また、前記第１ブラケットに配設される検知片と、前記検知片の通過により前記回転体の回転方向の位置を検出する検出部と、をさらに備えれば、前記回転体の振動に影響されることなく、前記回転体の回転方向の位置を検出することが可能となる。
【発明の効果】
【００２３】
本発明に係る遊技台は、可変表示装置における回転体の停止時または起動時に発生する振動を効率的に抑制し、従来よりも回転体の振動を低減することができる上に、点検や部品の交換が容易であるという優れた効果を有する。
【発明を実施するための最良の形態】
【００２４】
以下、図面を用いて、本発明の実施例1および２に係るスロットマシン（本発明に係る「遊技台」）について詳細に説明する。
【実施例１】
【００２５】
＜全体構成＞
【００２６】
まず、図１を用いて、本実施例１に係るスロットマシン１００の全体構成について説明する。なお、図１はスロットマシン１００の外観斜視図を示したものである。
【００２７】
スロットマシン１００は、略箱状の本体１０１と、この本体１０１の前面開口部に取り付けられた前面扉１０２とを有して構成されている。
【００２８】
スロットマシン１００の本体１０１の中央内部には、外周面に複数種類の図柄が所定コマ数だけ配置されたリール（本発明に係る「回転体」）が３個（左リール１１０、中リール１１１、右リール１１２）収納され、各リール１１０〜１１２がスロットマシン１００の内部で回転できるように構成されている。なお、各リール１１０〜１１２を有して構成される可変表示装置については後述する。
【００２９】
本実施例１における各図柄は帯状部材に等間隔で適当数印刷され、この帯状部材が所定の円形枠材に貼り付けられて各リール１１０〜１１２が構成されている。リール１１０〜１１２上の図柄は、遊技者から見ると、図柄表示窓１１３から縦方向に概ね３つ表示され、合計９つの図柄が見えるようになっている。そして、各リール１１０〜１１２を回転させることにより、遊技者から見える図柄の組み合せが変動することとなる。なお、本実施例１では、３個のリールをスロットマシン１００の中央内部に備えているが、リールの数やリールの設置位置はこれに限定されるものではない。
【００３０】
また、各々のリール１１０〜１１２の背面には、図柄表示窓１１３に表示される個々の図柄を照明するためのバックライト（図示省略）が配置されている。なお、このバックライトは、各々の図柄ごとに遮蔽されて個々の図柄を均等に照射できるようにすることが望ましい。
【００３１】
さらに、スロットマシン１００内部において各々のリール１１０〜１１２の近傍には、投光部と受光部からなる光学式センサであるリールインデックスセンサ（本発明に係る「検出部」、図４参照）が設けられており、このリールインデックスセンサの投光部と受光部の間を、リールに設けられた一定の長さの遮光片（本発明に係る「検知片」、図４参照）が通過するように構成されている。このセンサの検出結果に基づいてリール上の図柄の回転方向の位置を判断し、目的とする図柄が入賞ライン１１４上に表示されるようにリール１１０〜１１２を停止させる。なお、センサの形式については、光学式に限定されるものではない。
【００３２】
入賞ライン表示ランプ１２０は、有効となる入賞ラインを示すランプである。有効となる入賞ラインは、スロットマシン１００に投入されたメダルの数によって予め定まっている。５本の入賞ライン１１４のうち、例えば、メダルが１枚投入された場合、中段の水平入賞ラインが有効となり、メダルが２枚投入された場合、上段水平入賞ラインと下段水平入賞ラインが追加された３本が有効となり、メダルが３枚投入された場合、右下り入賞ラインと右上り入賞ラインが追加された５本が入賞ラインとして有効になる。なお、入賞ライン１１４の数については５本に限定されるものではない。
【００３３】
スタートランプ１２１は、リール１１０〜１１２が回転することができる状態にあることを遊技者に知らせるランプである。再遊技ランプ１２２は、前回の遊技において入賞役の一つである再遊技役に入賞した場合に、今回の遊技が再遊技可能であること（メダルの投入が不要であること）を遊技者に知らせるランプである。告知ランプ１２３は、内部抽選において、特定の入賞役（例えば、ＢＢ（ビッグボーナス）やＲＢ（レギュラーボーナス）等のボーナス）に内部当選していることを遊技者に知らせるランプである。メダル投入ランプ１２４は、メダルの投入が可能であることを知らせるランプである。払出枚数表示器１２５は、何らかの入賞役に入賞した結果、遊技者に払出されるメダルの枚数を表示するための表示器である。遊技回数表示器１２６は、メダル投入時のエラー表示や、ビッグボーナスゲーム中（ＢＢゲーム中）の遊技回数、所定の入賞役の入賞回数等を表示するための表示器である。貯留枚数表示器１２７は、スロットマシン１００に電子的に貯留されているメダルの枚数を表示するための表示器である。リールパネルランプ１２８は、演出用のランプである。
【００３４】
メダル投入ボタン１３０、１３１は、スロットマシン１００に電子的に貯留されているメダルを所定の枚数分投入するためのボタンである。本実施例１においては、メダル投入ボタン１３０が押下される毎に１枚ずつ最大３枚まで投入され、メダル投入ボタン１３１が押下されると３枚投入されるようになっている。メダル投入口１３４は、遊技を開始するに当たって遊技者がメダルを投入するための投入口である。すなわち、メダルの投入は、メダル投入ボタン１３０または１３１により電子的に投入することもできるし、メダル投入口１３４から実際のメダルを投入することもできる。精算ボタン１３２は、スロットマシン１００に電子的に貯留されたメダルおよびベットされたメダルを精算し、メダル払出口１５５よりメダル受皿１５６に排出するためのボタンである。メダル返却ボタン１３３は、投入されたメダルが詰まった場合に押下してメダルを取り除くためのボタンである。
【００３５】
スタートレバー１３５は、遊技の開始操作を行うためのレバー型のスイッチである。即ち、メダル投入口１３４に所望する枚数のメダルを投入して、スタートレバー１３５を操作すると、これを契機としてリール１１０〜１１２が回転し、遊技が開始される。ストップボタン１３７〜１３９は、スタートレバー１３５の操作によって回転を開始したリール１１０〜１１２に対する停止操作を行うためのボタンであり、各リール１１０〜１１２に対応して設けられている。そして、いずれかのストップボタン１３７〜１３９を操作すると対応するいずれかのリール１１０〜１１２が停止することになる。
【００３６】
ドアキー１４０は、スロットマシン１００の前面扉１０２のロックを解除するためのキーを挿入する孔である。メダル払出口１５５は、メダルを払出すための払出口である。メダル受皿１５６は、メダル払出口１５５から払出されたメダルを溜めるための器である。なお、メダル受皿１５６は、本実施例１では発光可能な受皿を採用しており、以下受皿ランプと呼ぶこともある。
【００３７】
上部ランプ１５０、サイドランプ１５１、中央ランプ１５２、腰部ランプ１５３、下部ランプ１５４、受皿ランプ１５６は、遊技を盛り上げるための装飾用のランプである。演出装置１５７は、例えば開閉自在な扉（シャッター）１６３が前面に取り付けられた液晶表示装置１５８を含み、この演出装置１５７には、例えば小役告知等の各種の情報が表示される。音孔１６０は、スロットマシン１００内部に設けられているスピーカの音を外部に出力するための孔である。タイトルパネル１６２には、スロットマシン１００を装飾するための図柄が描かれる。
＜制御部＞
【００３８】
次に、図２を用いて、このスロットマシン１００の制御部の回路構成について詳細に説明する。
【００３９】
スロットマシン１００の制御部は、遊技の中枢部分を制御する主制御部３００と、主制御部３００より送信されたコマンドに応じて各種機器を制御する副制御部４００と、演出装置１５７を制御する表示制御部５００と、によって構成されている。
＜主制御部＞
【００４０】
まず、スロットマシン１００の主制御部３００について説明する。
【００４１】
マイクロプロセッサ（以下、ＭａｉｎＣＰＵと称す）３１０は、スロットマシン１００における制御の中枢となるものであり、バス３７０を介して、周辺部との間で制御信号やデータの受渡しが行われる。
【００４２】
乱数発生器３１１は、乱数を発生するもので、複数のカウンタ、クロック発振器、分周器およびラッチ回路等で構成される。乱数発生器３１１が発生した乱数値は、バス３７０を介して、ＲＡＭ３１３の乱数記憶領域に記憶され、必要に応じてＭａｉｎＣＰＵ３１０へ送られる。乱数値は、複数種類存在し、それぞれ処理内容に応じて使用される。
【００４３】
また、ＭａｉｎＣＰＵ３１０には、入力インターフェース３６０およびバス３７０を介して、ストップボタン１３７〜１３９のいずれかが押された場合、どのストップボタンが押されたかを検知する左ストップボタンセンサ３４１、中ストップボタンセンサ３４２、および、右ストップボタンセンサ３４３と、スタートレバー１３５の操作を検知するスタートレバーセンサ３４４と、メダル投入ボタン１３０、１３１のいずれかが押下された場合、どのメダル投入ボタンが押されたかを検知する１枚投入ボタンセンサ３４５、および、３枚投入ボタンセンサ３４７と、精算ボタン１３２の押下に伴って動作する精算ボタンスイッチ３４８と、メダル投入口１３４より投入されたメダルを検知する第1メダルセンサ（メダルセンサ１）３４９および第２メダルセンサ（メダルセンサ２）３５０と、メダルの払出しを検知する第1払出しセンサ（払出しセンサ１）３５１および第２払出しセンサ（払出しセンサ２）３５２と、左リール１１０、中リール１１１、右リール１１２の各リールの回転方向の図柄位置を検出するための左リールインデックスセンサ３５３、中リールインデックスセンサ３５４、および、右リールインデックスセンサ３５５がそれぞれ接続されている。
【００４４】
ＲＯＭ（リード・オンリー・メモリ）３１２は、各種制御を行うためのプログラムや、後述する各種テーブルデータ等を記憶する記憶手段の一つである。ＲＡＭ（ランダム・アクセス・メモリ）３１３は、ＭａｉｎＣＰＵ３１０によって処理されるプログラムのワークエリアを有し、可変データ等を記憶する記憶手段の一つである。本実施例１では、このようにＲＯＭおよびＲＡＭを採用しているが、他の記憶手段も採用可能であることはいうまでもない。この点は後述する副制御部においても同様である。
【００４５】
さらに、ＭａｉｎＣＰＵ３１０には、出力インターフェース３３２およびバス３７０を介して、左リール１１０、中リール１１１、右リール１１２の各リールの回転駆動を行うモータ（図示省略）を制御するための左リールモータ駆動部３２１、中リールモータ駆動部３２２、および、右リールモータ駆動部３２３と、メダル払出装置（いわゆるホッパー：図示省略）を制御するホッパー駆動部３３１と、遊技ランプ３８０（具体的には、入賞ライン表示ランプ１２０、スタートランプ１２１、再遊技ランプ１２２、告知ランプ１２３、メダル投入ランプ１２４等）と、７セグメント（ＳＥＧ）表示器３９０（払出枚数表示器１２５、遊技回数表示器１２６、貯留枚数表示器１２７等）がそれぞれ接続されている。
【００４６】
また、ＭａｉｎＣＰＵ３１０は、出力インターフェース３３２を介して、各種の主制御コマンドを副制御部４００の入力インターフェース４３０へ送信する。
＜副制御部＞
【００４７】
次に、同図を用いて、スロットマシン１００の副制御部４００について説明する。
【００４８】
マイクロプロセッサ（以下、ＳｕｂＣＰＵと称す）４１０は、主制御部３００から送信された各種コマンドを入力インターフェース４３０およびバス４７０を介して受信し、受信したコマンドの内容に応じて副制御部４００全体を制御する。
【００４９】
ＲＯＭ４１１は、副制御部４００全体を制御するためのプログラムやデータ等を記憶する記憶手段の一つである。ＲＡＭ４１２は、ＳｕｂＣＰＵ４１０で処理されるプログラムのワークエリアを有し、可変データ等を記憶する記憶手段の一つである。
【００５０】
演出用発光表示部４５０は、上部ランプ１５０、サイドランプ１５１、中央ランプ１５２、腰部ランプ１５３、下部ランプ１５４、受け皿ランプ１５６をまとめて表したもので、出力インターフェース４２０およびバス４７０を介してＳｕｂＣＰＵ４１０に接続され、このＳｕｂＣＰＵ４１０の指示に従って点灯／点滅／消灯する。
【００５１】
楽音信号形成部４６０は、ＳｕｂＣＰＵ４１０から受け渡された制御信号やデータに基づいて、楽音信号を形成して出力する。この楽音信号は、アンプ４６１で増幅された後、スピーカ（具体的には上部スピーカおよび中央スピーカ）４６２から音として出力される。
【００５２】
また、ＳｕｂＣＰＵ４１０は、出力インターフェース４４０を介して、各種制御データを表示制御部５００へ送信する。
＜表示制御部＞
【００５３】
次に、同図を用いて、スロットマシン１００の表示制御部５００について説明する。
【００５４】
マイクロプロセッサ（以下、第２のＳｕｂＣＰＵと称す）５１０は、副制御部４００から送信された各種制御データを入力インターフェース５３０およびバス５７０を介して受信し、受信したコマンドの内容に応じて液晶表示装置（ＬＣＤ）１５８を制御する。
【００５５】
ＲＯＭ５１１は、表示制御部５００全体を制御するためのプログラムやデータ等を記憶する記憶手段の一つである。
【００５６】
ＶＤＰ５５０は、第２のＳｕｂＣＰＵ５１０の指示に従って、出力インターフェース５５３を介して液晶表示装置１５８に表示データ等を送信する。なお、ＲＯＭ５５２は、表示データ等を記憶する記憶手段の一つである。
＜可変表示装置＞
【００５７】
次に、本実施例１に係る可変表示装置６００について説明する。
【００５８】
図３は図柄表示窓１１３の背後に配置されている３個のリール（本発明に係る「回転体」）１１０〜１１２を可変表示させる可変表示装置６００の外観斜視図である。図に示されるように、各リール１１０〜１１２は、複数の金属板からなるリールボックス６０１の内部に回転可能な状態で収容されてスロットマシン１００の内側空間に配設される。
【００５９】
図４は可変表示装置６００の分解斜視図を示したものであり、図５（ａ）および（ｂ）は左リール１１０の内側空間内の様子を示す略示側面図および略示正面図を示したものである。
【００６０】
同図に示されるように、可変表示装置６００は、リールボックス６０１と、リールボックス６０１に固定される支持板６０２と、支持板６０２に固定されるモータ６０４と、モータ６０４のモータ軸６０４Ａに固定され、モータ軸６０４Ａと共に回転する振動抑制手段６０３と、振動抑制手段６０３に固定され、振動抑制手段６０３を介してモータ６０４により駆動される左リール１１０と、振動抑制手段６０３に配設される振動範囲制限手段６０９と、センサブラケット６１７を介して支持板６０２に配設される検出部６１８（左リールインデックスセンサ３５３）と、ダンパーブラケット６０６の第1鍔部６０６Ｂの片側端部に配設される検知片（遮光片）６１９と、を有している。中リール１１１および右リール１１２に関しても左リール１１０と同一の構造を有しているため、可変表示装置６００は同一の３つの構造がリールボックス６０１の中に並んで構成されることとなる。
【００６１】
以下、中リール１１１および右リール１１２に関しては説明を省略する。
【００６２】
振動抑制手段６０３は、モータ軸６０４Ａに固定される円筒形状の第１ボス部６０６Ａおよびこの第１ボス部６０６Ａの径方向外側に一体的に延設された板状の第１鍔部６０６Ｂからなるダンパーブラケット（本発明に係る「第１ブラケット」）６０６と、このダンパーブラケット６０６の第１鍔部６０６Ｂの片側端部近傍に配設されるダンパー（本発明に係る「衝撃吸収部」）６０８と、円筒形状の第２ボス部６１０Ａおよびこの第２ボス部６１０Ａの端部近傍における径方向外側に一体的に延設される円板状の第２鍔部６１０Ｂからなり、ダンパーブラケット６０６の反モータ６０４側に配設されるトランスファーブラケット（本発明に係る「第２ブラケット」）６１０と、ブレーキ部６１２と、ブラケット押え６１６と、取付ボルト６２０と、を有して構成される。
【００６３】
左リール１１０は、トランスファーブラケット６１０に取付可能な第１枠体１１０Ａと、この第１枠体１１０Ａに固定される円形枠材１１０Ｂと、この円形枠材１１０Ｂにおける第１枠体１１０Ａの反対側に固定される第２枠体１１０Ｃと、を有して構成されており、左リール１１０は、トランスファーブラケット６１０を介して回転駆動される構造となっている。
【００６４】
図６（ａ）および（ｂ）は振動範囲制限手段６０９およびダンパーブラケット６０６の略示斜視図である。
【００６５】
同図に示されるように、振動範囲制限手段６０９は、筒状体６０９Ａと、棒状体６０９Ｂと、を有して構成され、筒状体６０９Ａはダンパーブラケット６０６の第1鍔部６０６Ｂの端部に形成された円筒部６０６Ｃの開口部６０６Ｄ内に圧入される。
【００６６】
図７は、上記図５のＩ−Ｉ線に沿う略示断面図を示したものである。
【００６７】
同図に示されるように、棒状体６０９Ｂは、トランスファーブラケット６１０の第２鍔部６１０Ｂの片側端部近傍にダンパーブラケット６０６に向けて突設され、ダンパーブラケット６０６の第１鍔部６０６Ｂに配設された筒状体６０９Ａの開口部６０９Ｃ内に移動自在に挿入される。このように、振動範囲制限手段６０９は、左リール１１０の振動と共に動く棒状体６０９Ｂの周囲を、筒状体６０９Ａが囲むことで、棒状体６０９Ｂの動きを制限する構造となっている。
【００６８】
ダンパーブラケット６０６の第１ボス部６０６Ａは、モータ６０４のモータ軸６０４Ａの外周部に嵌合且つ固定されており、ダンパーブラケット６０６は、モータ軸６０４Ａと共に回転可能な構造となっている。
【００６９】
トランスファーブラケット６１０の第２ボス部６１０Ａは、ダンパーブラケット６０６の第１ボス部６０６Ａの外周部に嵌合され、第２ボス部６１０Ａの内周面が第１ボス部６０６Ａの外周面に接触するように配設されている。また、トランスファーブラケット６１０の第２鍔部６１０Ｂとダンパー６０８はコネクティングロッド（本発明に係る「連結部」）６２２を介して連結されており、トランスファーブラケット６１０はダンパーブラケット６０６と共に回転可能な構造となっている。
【００７０】
ブレーキ部６１２は、スプリング６１２Ａおよびスプリング押え６１２Ｂからなる付勢部と、摩擦部として兼用されるトランスファーブラケット６１０と、を有して構成され、付勢部により、トランスファーブラケット６１０をダンパーブラケット６０６へ押圧することで、両者の間に摩擦力を発生させる。
【００７１】
図８はダンパー６０８の略示断面図を示したものである。同図に示されるように、ダンパー６０８は、板状体６２４Ａおよびこの板状体６２４Ａの一方の面に一体的に形成された円筒形状の円筒凸部６２４Ｂからなるベース部６２４と、このベース部６２４の円筒凸部６２４Ｂの開口部を覆うように配設され、ベース部６２４との間に閉塞された中空部６２８を形成する弾性部材（この例ではゴム）からなる外殻部６２６と、コネクティングロッド６２２と、を有して構成されている。
【００７２】
このダンパー６０８のベース部６２４には、ダンパー６０８をダンパーブラケット６０６に取り付けるための係止部６２４Ｃや、面取り部６２４Ｄが形成されている。また、外殻部６２６の中空部６２８には粘性を有する物質（この例ではジェル）が充填されていると共に、外殻部６２６の外周部にコネクティングロッド６２２が連結されている。
【００７３】
なお、本発明に係る遊技台は本実施例１に係る構造に限定されるものではなく、例えばダンパー６０８は、ベース部６２４をトランスファーブラケットに配設し、連結部６２２をダンパーブラケット６０６に連結する構造としてもよい。
【００７４】
同様に、振動範囲制限手段６０９は、例えば筒状体６０９Ａをトランスファーブラケット６１０に配設し、棒状体６０９Ｂをダンパーブラケット６０６に配設する構造としてもよい。
【００７５】
また、ブレーキ部６１２は、トランスファーブラケット６１０とダンパーブラケット６０６の間に他の摩擦部材を配設してもよく、前記付勢部がダンパーブラケット６０６をトランスファーブラケット６１０へ押圧する構造としてもよい。
【００７６】
さらに、ブレーキ部６１２は、左リール１１０の少なくとも一部と接触するように摩擦部を配設し、付勢部が、前記摩擦部または左リール１１０の少なくとも一方を他方の側に、押圧する構造としてもよい。
【００７７】
また、図９に示されるように、左リール１１０の第１枠体１１０Ａとトランスファーブラケット６１０が一体となった構造としてもよい。
【００７８】
次に本実施例１に係る振動抑制手段６０３および振動範囲制限手段６０９の作用について説明する。
【００７９】
可変表示装置６００において、各リール１１０〜１１２は振動抑制手段６０３を介してモータ６０４により駆動され回転することとなる。そして、検出部６１８および検知片６１９により、リール１１０〜１１２の回転方向の図柄位置を検出すると共に、所定の図柄位置でモータ６０４を停止することで、所定の図柄を可変表示することが可能となっている。
【００８０】
図１０（ａ）は振動抑制手段６０３の中心部付近をトランスファーブラケット６１０側から見た略示側面図であり、トランスファーブラケット６１０を透視して、ダンパーブラケット６０６、ダンパー６０８、振動範囲制限手段６０９、モータ６０４をそれぞれ示した図である。
【００８１】
リール１１０〜１１２が静止している状態では、同図（ｂ）に示されるように、ダンパー６０８の外殻部６２６は変形することなく、コネクティングロッド６２２はダンパー６０８の略中心に位置することになる。また、振動範囲制限手段６０９においても棒状体６０９Ｂは筒状体６０９Ａの開口部６０９Ｃの略中心に位置している。
【００８２】
一方、モータ６０４の駆動が停止されて回転中のリール１１０〜１１２が停止された場合、リール１１０〜１１２は慣性により回転を続けようとし、この回転慣性力がトランスファーブラケット６１０→コネクティングロッド６２２→ダンパー６０８の外殻部６２６の順で伝達される結果、同図（ｃ）に示されるように、ダンパー６０８の外殻部６２６がリール１１０〜１１２の回転方向に変形することになる。この変形の過程において、ダンパー６０８の外殻部６２６の弾性変形、外殻部６２６内に充填されたジェルの粘性抵抗およびブレーキ部６１２の摩擦抵抗によりリール１１０〜１１２の停止時の衝撃エネルギーが消費される。すなわち、リール１１０〜１１２の停止時における衝撃が、ダンパー６０８とブレーキ部６１２によって吸収されることとなる。
【００８３】
次に、リール１１０〜１１２は、ダンパー６０８の外殻部６２６の復元力により回転方向とは逆方向に回転し、振動を始めようとする。しかし、ダンパー６０８の外殻部６２６内に充填されたジェルの粘性抵抗およびブレーキ部６１２の摩擦抵抗により運動エネルギーが消費されることで、振動が減速されるため、リール１１０〜１１２は、同図（ｂ）に示されるような本来の停止位置に停止する。すなわち、リール１１０〜１１２の停止時における振動が、ダンパー６０８とブレーキ部６１２によって抑制されることとなる。
【００８４】
振動範囲制限手段６０９は、同図（ｄ）に示されるように、筒状体６０９Ａの開口部６０９Ｃ内に挿入された棒状体６０９Ｂの移動範囲がｘに制限されることにより、同図（ｃ）に示されるように、リール１１０〜１１２の振動の振幅の範囲をｘに制限する。本実施例１では、このｘはダンパー６０８の最大可動範囲以下に設定され、これによって、振動抑制手段６０３が抑制できないほど過大な振動が発生することを防ぐことができる。また、ダンパー６０８の外殻部６２６が過度に変形することを防ぐことができるため、ダンパー６０８にかかる負担が軽減され、ダンパー６０８の耐久性を向上させることができる。
【００８５】
このように、振動範囲制限手段６０９の制限範囲を調整すると共に、ダンパー６０８の外殻部６２６の弾性係数、外殻部６２６内に充填されたジェルの粘度およびブレーキ部６１２の摩擦力を適宜に調整すれば、遊技者が煩わしく感じることのない、最適なリール１１０〜１１２の停止時の挙動を得ることができる。
【００８６】
また、同様の作用によって、リール１１０〜１１２の起動時に発生する振動も低減することができる。
【００８７】
以上説明したように、本実施例１に係る遊技台１００によれば、モータ６０４により駆動される回転体（本実施例１ではリール）１１０〜１１２を有して構成される可変表示装置６００を備えた遊技台１００であって、回転体１１０〜１１２の振動を抑制する振動抑制手段６０３と、振動抑制手段６０３が振動を抑制可能な範囲内に回転体１１０〜１１２の振動の振幅を制限する振動範囲制限手段６０９と、を備えることにより、従来よりも効率的に振動を抑制することが可能となる。このため、回転体１１０〜１１２が停止時に発生する振動を従来よりも低減することができる。
【００８８】
同様に、回転体１１０〜１１２の起動時に発生する振動も、従来よりも低減することができる。
【００８９】
また、振動抑制手段６０３を、モータ６０４のモータ軸６０４Ａに固定され、モータ軸６０４Ａと共に回転する第１ブラケット（本実施例１ではダンパーブラケット）６０６と、第１ブラケット６０６と同軸的に配設され、回転体１１０〜１１２と連結される第２ブラケット（本実施例１ではトランスファーブラケット）６１０と、第１ブラケット６０６と第２ブラケット６１０を連結するように配設された衝撃吸収部（本実施例１ではダンパー）６０８と、を有して構成すれば、振動抑制手段６０３をユニット化することが可能となり、点検、交換を容易に行うことができる。
【００９０】
さらに、振動抑制手段６０３が、回転体１１０〜１１２の振動の速度を抑制するブレーキ部６１２を、備えれば、回転体１１０〜１１２の振動をさらに減速することが可能となり、効率的に回転体１１０〜１１２の振動を抑制することができる。
【００９１】
また、ブレーキ部６１２を、回転体１１０〜１１２または回転体１１０〜１１２と共に回転する回転部材（本実施例１ではトランスファーブラケット）６１０の少なくとも一部と接触するように配設された摩擦部（本実施例１ではトランスファーブラケット６１０と兼用）と、前記摩擦部または回転体１１０〜１１２もしくは回転部材６１０の少なくとも一方を他方の側に、押圧して圧着させる、付勢部（本実施例１ではスプリング６１２Ａおよびスプリング押え６１２Ｂからなる）と、を有して構成すれば、前記摩擦部と回転体１１０〜１１２または回転部材６１０との間に作用する摩擦力によって回転体１１０〜１１２の振動を円滑に減速し、効率的に回転体１１０〜１１２の振動を抑制することができる上に、前記付勢部による押圧力を調整することによって、摩擦力の大きさ（ブレーキの効き具合）を調整することができる。
【００９２】
また、第１ブラケット６０６は、モータ軸６０４Ａに固定される第１ボス部６０６Ａと、第１ボス部６０６Ａの径方向外側に延設された第１鍔部６０６Ｂと、を有し、第２ブラケット６１０は、第１ブラケット６０６の第１ボス部６０６Ａと同軸的に配設される第２ボス部６１０Ａと、第２ボス部６１０Ａの径方向外側に延設された第２鍔部６１０Ｂと、を有し、衝撃吸収部６０８は、第１ブラケット６０６の第１鍔部６０６Ｂと第２ブラケット６１０の第２鍔部６１０Ｂとを連結するように配設すれば、前記衝撃吸収部の配設におけるスペース上の制約が解消されると共に、前記衝撃吸収部の可動範囲を大きくとることができるため、衝撃吸収力を高めることが可能となり、振動を効率的に抑制することができる。
【００９３】
さらに、衝撃吸収部６０８は、第１ブラケット６０６の第１鍔部６０６または第２ブラケット６１０の第２鍔部６１０Ｂのいずれか一方に配設されたベース部６２４と、ベース部６２４との間に閉塞された中空部６２８を形成する外殻部６２６と、外殻部６２６と第１ブラケット６０６の第１鍔部６０６Ｂまたは第２ブラケット６１０の第２鍔部６１０Ｂのいずれかの他方とを連結する連結部６２２と、を有して構成され、外殻部６２６は、弾性部材からなり、中空部６２８には、粘性を有する物質が充填されていれば、前記粘性を有する物質によって回転体１１０〜１１２の停止時の衝撃を吸収することができる上に、前記弾性部材からなる外殻部６２６の復元力によって、振動抑制後の回転体１１０〜１１２を正確に停止位置へと導くことができる。
【００９４】
また、振動範囲制限手段６０９は、開口部６０９Ｃを有する筒状体６０９Ａと、開口部６０９Ｃの内径よりも小径の棒状体６０９Ｂと、から構成され、筒状体６０９Ａは、第１ブラケット６０６または第２ブラケット６１０のいずれか一方に配設され、棒状体６０９Ｂは、第１ブラケット６０６または第２ブラケット６１０のいずれかの他方に、筒状体６０９Ａに向けて突設されていると共に、開口部６０９Ｃ内に、移動自在に挿入されていれば、棒状体６０９Ｂの移動が筒状体６０９Ａの開口部６０９Ｃ内に限定されることとなり、これにより回転体１１０〜１１２の振動の振幅を振動抑制手段６０３が振動を抑制可能な範囲内に制限することが可能となり、回転体１１０〜１１２の振動を効率的に抑制することができる上に、振動抑制手段６０３と振動範囲制限手段６０９を一つにユニット化することが可能となり、点検、交換を容易に行うことができる。
【００９５】
さらに、筒状体６０９Ａの開口部６０９Ｃの内径を変更することによって、回転体１１０〜１１２の振動の範囲を調整することが可能であるため、筒状体６０９Ａの開口部６０９Ｃの内径を、衝撃吸収部６０８の最大可動範囲よりも小さくすれば、回転体１１０〜１１２の振動をより小さい振幅の振動とすることができる。
【００９６】
また、第２ブラケット６１０が、回転体１１０〜１１２と一体成形されていれば、部品点数の削減や低コスト化、または装置の小型化が可能となる。
また、前記摩擦部が、第１ブラケット６０６と兼用されていれば、部品点数の削減や低コスト化、または装置の小型化が可能となる。
【００９７】
また、第１ブラケット６０６に配設される検知片６１９と、検知片６１９の通過により回転体１１０〜１１２の回転方向の位置を検出する検出部６１８と、をさらに備えれば、回転体１１０〜１１２の振動に影響されることなく、回転体１１０〜１１２の回転方向の位置を検出することが可能となる。
【実施例２】
【００９８】
次に、本発明の実施例２に係るスロットマシン（遊技台）について説明する。
【００９９】
図１１は、本実施例２に係る可変表示装置７００の分解斜視図を示したものであり、図１２（ａ）および（ｂ）は左リール１１０の内側空間内の様子を示す略示側面図および略示正面図を示したものである。
【０１００】
本実施例２に係るスロットマシンは上記実施例１に係るスロットマシン１００に振動抑制手段７０３および振動範囲制限手段７０９を適用したものであり、他の構造については上記実施例１に係るスロットマシン１００と同一であるため、同一部分については図中において同じ符号を付すと共に、その説明は省略し、以下、振動抑制手段７０３および振動範囲制限手段７０９についてのみ説明する。
【０１０１】
同図に示されるように、振動抑制手段７０３は、モータ軸６０４Ａに固定される円筒形状の第１ボス部７０６Ａと、この第１ボス部７０６Ａの径方向外側に一体的に延設された板状の第１鍔部７０６Ｂと、第１ボス部７０６Ａの端部を基端として第１鍔部７０６Ｂの幅方向両側に一体的に延設された直方体状の硬球支持部７０６Ｃと、からなるダンパーブラケット（本発明に係る「第１ブラケット」）７０６と、このダンパーブラケット７０６の第１鍔部７０６Ｂの両側端部近傍に配設されるダンパー（本発明に係る「衝撃吸収部」）６０８と、円筒形状の第２ボス部７１０Ａおよびこの第２ボス部７１０Ａの端部近傍における径方向外側に一体的に延設された円板状の第２鍔部７１０Ｂからなり、ダンパーブラケット７０６の反モータ７０４側に配設されたトランスファーブラケット（本発明に係る「第２ブラケット」）７１０と、ブレーキ部６１２と、ブラケット押え６１６と、取付ボルト６２０と、を有して構成される。
【０１０２】
振動範囲制限手段７０９は、ダンパーブラケット７０６の硬球支持部７０６Ｃに形成された開口部７０６Ｄに嵌合される円筒体７０９Ａと、円筒体７０９Ａの内部に収容される硬球７０９Ｂおよびスプリング７０９Ｃと、硬球支持部７０６Ｃと螺合するスプリング押え７０９Ｄと、トランスファーブラケット７１０の第２ボス部７１０Ａに形成された凹部７０９Ｅと、を有して構成される。
【０１０３】
図１３（ａ）は、上記図１２のＩＩ−ＩＩ線に沿う略示断面図を示したものである。同図に示されるように、振動範囲制限手段７０９は、トランスファーブラケット７１０の第２ボス部７１０Ａを間に挟むように、ダンパーブラケット７０６の硬球支持部７０６Ｃの両側にそれぞれ配設され、硬球７０９Ｂは、スプリング押え７０９Ｄおよびスプリング７０９Ｃによって、凹部７０９Ｅに押圧され、その一部が凹部７０９Ｅに収容されることで係止される。
【０１０４】
なお、振動範囲制限手段７０９は、同図に示される構造に限定されるものではなく、例えば円筒体７０９Ａ、硬球７０９Ｂ、スプリング７０９Ｃおよびスプリング押え７０９Ｄをトランスファーブラケット７１０に配設し、凹部７０９Ｅをダンパーブラケット７０６に形成する構造としてもよい。
【０１０５】
図１３（ｂ）は上記図１２のＩＩＩ−ＩＩＩ線に沿う略示断面図を示したものである。本実施例２に係る可変表示装置７００では、同図に示されるように、ダンパーブラケット７０６の第１鍔部７０６Ｂの両側端部近傍に、それぞれダンパー６０８が配設される。
【０１０６】
次に本実施例２に係る振動範囲制限手段７０９の作用について説明する。なお、振動抑制手段７０３の作用については実施例１と同一のため、その説明は省略する。
【０１０７】
図１４（ａ）は振動抑制手段７０３の中心部付近をトランスファーブラケット７１０側から見た略示側面図であり、トランスファーブラケット７１０を透視して、ダンパーブラケット７０６、ダンパー６０８、振動範囲制限手段７０９、モータ６０４をそれぞれ示した図である。
【０１０８】
各リール１１０〜１１２が静止している状態では、同図（ｂ）に示されるように、ダンパー６０８の外殻部６２６は変形することなく、また、振動範囲制限手段７０９の硬球７０９Ｂは、同図（ｄ）に拡大して示されるように、その一部が凹部７０９Ｅに収容されて、凹部７０９Ｅに係止した状態となる。このように、硬球７０９Ｂが凹部７０９Ｅに係止することにより、トランスファーブラケット７１０は、コネクティングロッド６２２がダンパー６０８の中心に位置するように位置決めされる。
【０１０９】
一方、モータ６０４の駆動が停止されて回転中のリール１１０〜１１２が停止された場合、同図（ｃ）に示されるように、リール１１０〜１１２が慣性により回転し続けようとするのは実施例１において説明した通りである。この時、振動範囲制限手段７０９においては、同図（ｅ）に拡大して示されるように、硬球７０９Ｂが凹部７０９Ｅの縁によりスプリング７０９Ｃの方向に押され、スプリング７０９Ｃが圧縮されることとなる。
【０１１０】
スプリング７０９Ｃは圧縮されるにつれて押圧力が増加するため、この増加した押圧力とダンパー６０８の外殻部６２６の弾性変形による反発力の和が、回転慣性力とつり合った時にリール１１０〜１１２の回転は停止する。すなわちリール１１０〜１１２の振動の振幅の範囲が制限されることとなる。本実施例２では、このｘがダンパー６０８の最大可動範囲以下となるように、硬球７０９Ｂと凹部７０９Ｅが設定され、これによって、振動抑制手段７０３が抑制できないほど過大な振動が発生することを防ぐことができる。また、ダンパー６０８の外殻部６２６が過度に変形することを防ぐことができるため、ダンパー６０８にかかる負担が軽減され、ダンパー６０８の耐久性を向上させることができる。
【０１１１】
このように、振動範囲制限手段７０９においてスプリング７０９Ｃの押圧力を調整すると共に、ダンパー６０８の外殻部６２６の弾性係数、外殻部６２６内に充填されたジェルの粘度およびブレーキ部６１２の摩擦力を適宜に調整すれば、遊技者が煩わしく感じることのない、最適なリール１１０〜１１２の停止時の挙動を得ることができる。
【０１１２】
また、同様の作用によって、リール１１０〜１１２の起動時に発生する振動も低減することができる。
【０１１３】
さらに、ダンパー６０８の外殻部６２６の復元力によりリール１１０〜１１２が停止位置へと導かれると、硬球７０９Ｂが凹部７０９Ｅに再度係止されるため、リール１１０〜１１２の停止位置を正確に位置決めすることができる。
なお、本実施例２では、ダンパー６０８が最大可動範囲まで作動しても、硬球７０９Ｂが凹部７０９Ｅの縁を乗り越えて凹部７０９Ｅから外れることのないように、硬球７０９Ｂおよび凹部７０９Ｅの寸法が設定されている。
【０１１４】
以上説明したように、本実施例２に係る遊技台は、振動抑制手段７０３および振動範囲制限手段７０９を備え、振動範囲制限手段７０９は、第１ブラケット（本実施例２ではダンパーブラケット）７０６または第２ブラケット（本実施例２ではトランスファーブラケット）７１０のいずれか一方に配設される硬球７０９Ｂと、第１ブラケット７０６または第２ブラケット７１０のいずれかの他方に形成され、硬球７０９Ｂの少なくとも一部を収容可能な形状を有する凹部７０９Ｅと、硬球７０９Ｂを凹部７０９Ｅに押圧する硬球付勢手段（本実施例２ではスプリング７０９Ｃおよびスプリング押え７０９Ｄからなる）と、を有して構成されている。このような遊技台によれば、前記硬球付勢手段の押圧力により回転体（本実施例２ではリール）１１０〜１１２の振動の振幅を振動抑制手段７０３が振動を抑制可能な範囲内に制限することが可能となり、回転体１１０〜１１２の振動を効率的に抑制することができる上に、振動抑制手段７０３と振動範囲制限手段７０９を一つにユニット化することが可能となり、点検、交換を容易に行うことができる。
【０１１５】
また、硬球７０９Ｂが凹部７０９Ｅに係止されることにより、回転体１１０〜１１２の停止位置を正確に位置決めすることができる。
【０１１６】
さらに、前記硬球付勢手段の押圧力を変更することによって、回転体１１０〜１１２の振動の範囲を調整することが可能であるため、回転体１１０〜１１２の振動の振幅を、衝撃吸収部（本実施例２ではダンパー）６０８の最大可動範囲以下に制限すれば、回転体１１０〜１１２の振動をより小さい振幅の振動とすることができる。
【０１１７】
なお、本発明に係る遊技台は、「複数種類の図柄が施された複数のリールと、このリールの回転を開始させるためのスタートレバーと、各々のリールに対応して設けられ、リールの回転を個別に停止させるためのストップボタンと、予め定められた役の内部当選の当否を抽選により判定する抽選手段と、この抽選手段の判定結果とストップボタンの操作に基づいて、リールを停止させるリール停止制御手段と、を備え、停止時のリールにより表示される図柄の組合せが、内部当選した役に対応して予め定められた図柄の組合せである場合に前記役に入賞するように構成されたスロットマシン」に好適であるが、上記実施例に示されるようなスロットマシンの構造等に限定されるものではない。
【０１１８】
従って、例えば、上記実施例においては、メダル（コイン）を遊技媒体としたスロットマシンの例を示したが、本発明はこれに限定されるものではなく、例えば、遊技球（例えば、パチンコ玉）を遊技媒体としたスロットマシン（いわゆるパロット）やパチンコ遊技機などにも適用可能である。
【０１１９】
ここで、本発明が適用されるパチンコ遊技機としては、リール（回転体）などの可動体を有し所定の図柄(識別情報)を変動表示する可変表示装置を備え、始動入賞口に遊技球が入って入賞することを契機として、可変表示装置が図柄を変動させた後に停止表示させて、遊技状態の推移を告知するようなパチンコ遊技機が一例として挙げられる。
【０１２０】
このようなパチンコ遊技機では、遊技球が始動入賞口に入球すると、抽選を行い、この抽選結果が当りであるか否かを判定する。そして、この抽選で大当たりに当選すると、可変表示装置により、特定の図柄による組合せ(大当たり図柄；例えば、７７７など)が表示され、大当たり状態に移行する。大当たり状態では、大入賞口が、例えば、所定の時間または所定の回数、開放され続けるので、遊技球は入球しやすい状態となり、遊技者にとって有利な状態が実現されるようになっている。また、特定の図柄による組合せ(大当たり図柄)が、確率変動を伴う大当たり図柄（確変図柄）である場合には、次に大当たりとなる確率が高くなり、遊技者にとってさらに有利な状態が実現される。
【産業上の利用可能性】
【０１２１】
本発明の遊技台は、スロットマシンや遊技機（パチンコ等）に代表される遊技台の分野で特に利用することができる。
【図面の簡単な説明】
【０１２２】
【図１】本発明の実施例１に係るスロットマシンの外観斜視図である。
【図２】実施例１に係る制御部の回路ブロック図である。
【図３】実施例１に係る可変表示装置の外観斜視図である。
【図４】実施例１に係る可変表示装置の分解斜視図である。
【図５】実施例１に係る左リールの内側空間内の様子を示す略示側面図（ａ）および略示正面図（ｂ）である。
【図６】実施例１に係る振動範囲制限手段およびダンパーブラケットの略示斜視図である。
【図７】図５のＩ−Ｉ線に沿う略示断面図である。
【図８】実施例１に係る左リールの第１枠体とトランスファーブラケットが一体となった例を示す略示断面図である。
【図９】実施例１に係るダンパーの略示断面図である。
【図１０】実施例１に係る、振動抑制手段の中心部付近をトランスファーブラケット側から見た略示側面図（ａ）、リール静止時の振動抑制手段および振動範囲制限手段の様子を示す略示側面図（ｂ）、回転しているリールが停止された時の振動抑制手段および振動範囲制限手段の様子を示す略示側面図（ｃ）、および振動範囲制限手段の原理を示す概略図（ｄ）である。
【図１１】実施例２に係る可変表示装置の分解斜視図である。
【図１２】実施例２に係る左リールの内側空間内の様子を示す略示側面図（ａ）および略示正面図（ｂ）である。
【図１３】図１２のＩＩ−ＩＩ線に沿う略示断面図（ａ）およびＩＩＩ−ＩＩＩ線に沿う略示断面図（ｂ）である。
【図１４】実施例２に係る、振動抑制手段の中心部付近をトランスファーブラケット側から見た略示側面図（ａ）、リール静止時の振動抑制手段および振動範囲制限手段の様子を示す略示側面図（ｂ）、回転しているリールが停止された時の振動抑制手段および振動範囲制限手段の様子を示す略示側面図（ｃ）、リール静止時の振動範囲制限手段の様子の拡大図（ｄ）、および回転しているリールが停止された時の振動範囲制限手段の様子の拡大図（ｅ）である。
【符号の説明】
【０１２３】
１００・・・スロットマシン
１１０、１１１、１１２・・・リール
３００・・・主制御部
４００・・・副制御部
５００・・・表示制御部
６００・・・可変表示装置
６０３、７０３・・・振動抑制手段
６０４・・・モータ
６０６、７０６・・・ダンパーブラケット
６０６Ａ、７０６Ａ・・・第１ボス部
６０６Ｂ、７０６Ｂ・・・第１鍔部
６０８・・・ダンパー
６０９、７０９・・・振動範囲制限手段
６０９Ａ・・・筒状体
６０９Ｂ・・・棒状体
６１０、７１０・・・トランスファーブラケット
６１０Ａ、７１０Ａ・・・第２ボス部
６１０Ｂ、７１０Ｂ・・・第２鍔部
６１２・・・ブレーキ部
６１２Ａ・・・スプリング
６１２Ｂ・・・スプリング押え
６１８・・・検出部
６１９・・・検知片
６２２・・・コネクティングロッド
６２４・・・ベース部
６２６・・・外殻部
６２８・・・中空部
７０９Ａ・・・円筒体
７０９Ｂ・・・硬球
７０９Ｃ・・・スプリング
７０９Ｄ・・・スプリング押え
７０９Ｅ・・・凹部
【図１】
2007325637.tif 000003
【図２】
2007325637.tif 000004
【図３】
2007325637.tif 000005
【図４】
2007325637.tif 000006
【図５】
2007325637.tif 000007
【図６】
2007325637.tif 000008
【図７】
2007325637.tif 000009
【図８】
2007325637.tif 000010
【図９】
2007325637.tif 000011
【図１０】
2007325637.tif 000012
【図１１】
2007325637.tif 000013
【図１２】
2007325637.tif 000014
【図１３】
2007325637.tif 000015
【図１４】
2007325637.tif 000016